(57)【要約】【課題】指輪の径の調整用の割欠きを有すると共に、内面部に指輪の変形用溝を有する指輪において、指輪に加えられるこの変形用溝の溝幅を可変させる向きの力がこの変形用溝の溝底と指輪の外面部との間に集中し難いようにする。【解決手段】指輪Ｒの内面部３に指輪Ｒの側面部５において溝端を開放させた複数の変形用溝６、６…が、指輪Ｒの円周方向ｘにおいて隣り合う変形用溝６との間に間隔を開けて設けてあると共に、変形用溝６の一方溝壁面６ａを変形用溝６の内方を湾曲内側とさせた弧状面とし、かつ、他方溝壁面６ｂを変形用溝６の内方を湾曲外側とさせた弧状面として、一方溝壁面６ａと他方溝壁面６ｂとの接し合う箇所が指輪の円周方向ｘに向くようにしてある。【選択図】      図１
2004248843.tif 000002
【特許請求の範囲】
【請求項１】
指輪の径の調整用の割欠きを備え、この割欠きに接する両端部間の間隔を広げる向き、及び、狭める向きに変形可能な指輪であって、
指輪の内面部に、この内面部と指輪の外面部との間に亘る指輪の側面部において溝端を開放させた複数の変形用溝が、指輪の円周方向において隣り合う変形用溝との間に間隔を開けて設けてあると共に、
この変形用溝の一方溝壁面を変形用溝の内方を湾曲内側とさせた弧状面とし、かつ、この変形用溝の他方溝壁面を変形用溝の内方を湾曲外側とさせた弧状面として、この変形用溝における一方溝壁面と他方溝壁面との接し合う箇所が指輪の円周方向に向くようにしてあることを特徴とする指輪。
【発明の詳細な説明】
【０００１】
【発明の属する技術分野】
この発明は、指輪の径の調整用の割欠きを備え、この割欠きに接する両端部間の間隔を広げる向き、及び、狭める向きに変形可能な指輪の改良に関する。
【０００２】
【従来の技術】
指輪の一部に切離部を設けて、この切離部のピッチを広げ、または、狭めるように変形させて指輪の径を調整できるようにした指輪として、特許文献１に示されるものがある。
【０００３】
【特許文献１】
特開平８−１８２５１９号公報
【０００４】
【発明が解決しようとする課題】
特許文献１に示されるような構成を備えた指輪の内面部、つまり、指にはめられた際に指に接する面部に、さらに、図７に示されるように、この内面部から外面部１０２側に向かって彫り込まれた溝１０１を設けておけば、指輪１００に対してこの指輪１００を前記のように変形させる力を作用させた際に、この溝１０１の溝幅を広げさせ、あるいは、狭めさせることができ、これにより指輪１００をより容易に変形させることが可能とされる。
【０００５】
しかしながら、このように単純に指輪１００の内面部に溝１０１を設けさせた場合、溝１０１の溝底１０１ａと指輪１００の外面部１０２との間に力が集中してしまい、この両者の間の部分１０３に金属疲労が生じ易くなる。
【０００６】
そこでこの発明は、指輪の径の調整用の割欠きを有すると共に、内面部に指輪の変形用溝を有する指輪において、指輪に加えられるこの変形用溝の溝幅を可変させる向きの力がこの変形用溝の溝底と指輪の外面部との間に集中し難いようにして、指輪の径の調整を高い頻度で行っても、この両者の間の部分に金属疲労を生じさせ難いようにすることを主たる目的とする。
【０００７】
【課題を解決するための手段】
前記目的を達成するために、請求項１記載の発明にあっては、指輪が以下の（１）〜（３）の構成を備えたものとした。
（１）指輪の径の調整用の割欠きを備え、この割欠きに接する両端部間の間隔を広げる向き、及び、狭める向きに変形可能な指輪であって、
（２）指輪の内面部に、この内面部と指輪の外面部との間に亘る指輪の側面部において溝端を開放させた複数の変形用溝が、指輪の円周方向において隣り合う変形用溝との間に間隔を開けて設けてあると共に、
（３）この変形用溝の一方溝壁面を変形用溝の内方を湾曲内側とさせた弧状面とし、かつ、この変形用溝の他方溝壁面を変形用溝の内方を湾曲外側とさせた弧状面として、この変形用溝における一方溝壁面と他方溝壁面との接し合う箇所が指輪の円周方向に向くようにしてある。
【０００８】
かかる構成によれば、前記複数の変形用溝によって、指輪の径を調整する変形をより行い易くさせることができる。すなわち、前記割欠きに接する指輪の両端部間の間隔を広げる向きへ外力を指輪に加えることに伴って、変形用溝の溝幅を広げさせることができ、これにより、指輪の径を広げさせ易くすることができる。
【０００９】
また、前記割欠きに接する指輪の両端部間の間隔を狭める向きへの外力を指輪に加えることに伴って、変形用溝の溝幅を狭めさせることができ、これにより、指輪の径を狭めさせ易くすることができる。
【００１０】
また、指輪の径を調整するようにこの指輪に外力を作用させた場合に変形用溝における一方溝壁面と他方溝壁面との接し合う箇所に生じる力を、指輪の円周方向に逃すことができ、これにより、こうした外力の作用によってこの変形用溝の溝底と指輪の外面部との間に集中的に金属疲労が生じないようにすることができる。
【００１１】
【発明の実施の形態】
以下、図１ないし図６に基づいて、この発明の典型的な実施の形態について説明する。
【００１２】
なお、ここで図１ないし図４は、この発明の実施の形態の一つを示しており、図４は特にかかる指輪Ｒの要部を断面の状態として示している。また、図５は、図１ないし図４に示される実施の形態と構成の一部を異ならせたこの発明の実施の形態の他の一つにかかる指輪Ｒの要部を断面の状態として示しており、また、図６は、図１ないし図４に示される実施の形態と構成の一部を異ならせたこの発明の実施の形態のさらに他の一つにかかる指輪Ｒの要部を断面の状態として示している。
【００１３】
この実施の形態にかかる指輪Ｒは、指輪Ｒの径の調整用の割欠き１を備え、この割欠き１に接する両端部２、２間の間隔を広げる向き、及び、狭める向きに変形可能なものである。すなわち、かかる指輪Ｒは、かかる変形によって、フリーサイズの指輪となるものである。
【００１４】
かかる指輪Ｒは、典型的には、銀、プラチナ、金、真鍮、ステンレスなどの金属によって構成される。また、かかる指輪Ｒには、必要に応じて、模様が施されたり、宝石が取り付けられたり、宝石が埋め込まれる。
【００１５】
また、この実施の形態にかかる指輪Ｒは、指輪Ｒの内面部３に、この内面部３と指輪Ｒの外面部４との間に亘る指輪Ｒの側面部５において溝端を開放させた複数の変形用溝６、６…が、指輪Ｒの円周方向において隣り合う変形用溝６との間に間隔を開けて設けてある。
【００１６】
すなわち、かかる指輪Ｒにあっては、指輪Ｒにおける指に接する面部（つまり、前記内面部３）に、この内面部３と反対の面部（つまり前記外面部４）に至らない深さの複数の変形用溝６、６…を備えている。また、この変形用溝６の両溝端は、指輪Ｒの側面部５において外方に開放されている。
【００１７】
これにより、この実施の形態にかかる指輪Ｒにあっては、この複数の変形用溝６、６…によって、指輪Ｒの径を調整する前記変形をより行い易くさせることができる。すなわち、前記割欠き１に接する指輪Ｒの両端部２、２間の間隔を広げる向きへ外力を指輪Ｒに加えることに伴って、変形用溝６の溝幅を広げさせることができ、これにより、指輪Ｒの径を広げさせ易くすることができる。
【００１８】
また、前記割欠き１に接する指輪Ｒの両端部２、２間の間隔を狭める向きへの外力を指輪Ｒに加えることに伴って、変形用溝６の溝幅を狭めさせることができ、これにより、指輪Ｒの径を狭めさせ易くすることができる。
【００１９】
また、この実施の形態にかかる指輪Ｒにあっては、前記変形用溝６の一方溝壁面６ａを変形用溝６の内方を湾曲内側とさせた弧状面とし、かつ、この変形用溝６の他方溝壁面６ｂを変形用溝６の内方を湾曲外側とさせた弧状面として、この変形用溝６における一方溝壁面６ａと他方溝壁面６ｂとの接し合う箇所が指輪Ｒの円周方向ｘに向くようにしてある。
【００２０】
この結果、この実施の形態にかかる指輪Ｒにあっては、指輪Ｒの径を調整するようにこの指輪Ｒに外力を作用させた場合に変形用溝６における一方溝壁面６ａと他方溝壁面６ｂとの接し合う箇所に生じる力を、指輪Ｒの円周方向ｘに逃すことができ、これにより、こうした外力の作用によってこの変形用溝６の溝底と指輪Ｒの外面部４との間に集中的に金属疲労が生じないようにすることができる。すなわち、この実施の形態にかかる指輪Ｒにあっては、指輪Ｒの径の調整を高い頻度で行っても、経時的に、指輪Ｒが痛み難く、こうした調整を高い頻度で行っても、指輪Ｒに亀裂や破断を生じさせ難い。
【００２１】
図１ないし図４に示される例にあっては、割欠部に接する指輪Ｒの端部２との間に変形用溝６の設けられていない第一無傷部分７を残し、かつ、この割欠部に対向する位置に第二無傷部分８を残し、この第一無傷部分７と第二無傷部分８との間を、変形用溝６の形成部分９としている。
【００２２】
変形用溝６の形成部分９においては、指輪Ｒの円周方向ｘにおいて、隣り合う変形用溝６との間にほぼ等しい間隔を開けるようにして、複数の変形用溝６、６…が条設されている。
【００２３】
図１ないし図４に示される例にあっては、隣り合う変形用溝６の一方と他方との間に、隣り合う変形用溝６によって、円弧状の突き出し部１０が形成されるように、複数の変形用溝６、６…を形成させるようにしている。すなわち、図１ないし図４に示される例にあっては、隣り合う変形用溝６の一方における一方溝壁面６ａと他方溝壁面６ｂとが共に、隣り合う変形用溝６の他方の側を湾曲内側とするように形成されており、かつ、隣り合う変形用溝６の他方における一方溝壁面６ａと他方溝壁面６ｂとが共に、隣り合う変形用溝６の一方の側を湾曲内側とするように形成されている。このようにした場合、隣り合う変形用溝６の間に残された部分、つまり、指輪Ｒの内方に向けられた縁部を円弧状とする前記突き出し部１０とすることができる。
【００２４】
また、図１ないし図４に示される例にあっては、変形用溝６の一方溝壁面６ａの奥端と他方溝壁面６ｂの奥端とが、両溝壁面６ａ、６ｂが接し合う箇所においてエッジ状をなす溝内奥部６ｃを形成するように接し合っている。
【００２５】
なお、この図１ないし図４に示される例とは異なり、図５に示されるように、変形用溝６の一方溝壁面６ａの奥端と他方溝壁面６ｂの奥端とを、両溝壁面６ａ、６ｂが接し合う箇所においてアール状をなす溝内奥部６ｃを形成するように接し合わせておくこともある。
【００２６】
また、図１ないし図４に示される例とは異なり、図６に示されるように、隣り合う変形用溝６の一方における一方溝壁面６ａと他方溝壁面６ｂとが共に、隣り合う変形用溝６の他方の側を湾曲内側とするように形成されており、かつ、隣り合う変形用溝６の他方における一方溝壁面６ａと他方溝壁面６ｂとが共に、隣り合う変形用溝６の一方の側を湾曲外側とするように形成しておくこともある。
【００２７】
【発明の効果】
この発明にかかる指輪によれば、指輪の内面部に設けられた指輪の変形用溝を構成する一方溝壁面と他方溝壁面とが接し合う箇所が指輪の円周方向に向くようにしてあることから、指輪に加えられるこの変形用溝の溝幅を可変させる向きの力がこの変形用溝の溝底と指輪の外面部との間に集中し難く、これにより、指輪の径の調整を高い頻度で行っても、この両者の間の部分に金属疲労を生じさせ難くすることができる。
【図面の簡単な説明】
【図１】指輪Ｒの斜視図
【図２】同側面図
【図３】同断面図
【図４】同要部断面図
【図５】図１ないし図４に示される実施の形態と構成の一部を異ならせた他の実施の形態の一つにかかる指輪Ｒの要部断面図
【図６】図１ないし図４に示される実施の形態と構成の一部を異ならせた他の実施の形態のさらに他の一つにかかる指輪Ｒの要部断面図
【図７】指輪Ｒの検討例を示す要部断面構成図
【符号の説明】
Ｒ  指輪
１  割欠き
２  端部
３  内面部
４  外面部
５  側面部
６  変形用溝
６ａ  一方溝壁面
６ｂ  他方溝壁面
ｘ  円周方向
【図１】
2004248843.tif 000003
【図２】
2004248843.tif 000004
【図３】
2004248843.tif 000005
【図４】
2004248843.tif 000006
【図５】
2004248843.tif 000007
【図６】
2004248843.tif 000008
【図７】
2004248843.tif 000009